(57)【要約】【課題】冷却むらや臭い問題のない安価な冷蔵庫の提供。【解決手段】冷凍室に冷凍ケース１５を設け、この冷凍ケース１５は貯氷ボックス部１６と当該貯氷ボックス部に仕切壁１８を介して一体形成した食品収納ボックス部１７とからなり、かつ、前記冷凍ケースはその両側壁１９、仕切壁１８、前壁２０の高さを両側壁＞仕切壁＞前壁の関係に設定してある。これにより、貯氷ボックス部及び食品収納ボックス部に供給された冷気はその高さが最も低い前壁を乗り越えて流出するようになり、ショートサーキット流出することがなくなるので、貯氷ボックス部及び食品収納ボックス部内の全域をほぼ均一に冷却することができる。しかも、食品収納ボックス部の冷気が前壁よりも高い仕切壁を乗り越えて貯氷ボックス部に流出することも防止できるから、貯氷ボックス部内の氷に臭いが突くこともなくなる。【選択図】図６
2014145550.tif 000002
【特許請求の範囲】
【請求項１】
断熱性の冷蔵庫本体と、前記冷蔵庫本体内に設けた冷凍室と、前記冷凍室の開口を覆う扉と、前記冷凍室に配置した上面開口略箱型形状の冷凍ケースと、前記冷凍ケースの一部の上方に配置した製氷装置とを備え、前記冷凍ケースは前記製氷装置の下方に位置する貯氷ボックス部と当該貯氷ボックス部に仕切壁を介して一体形成した食品収納ボックス部とからなり、かつ、前記冷凍ケースはその両側壁、仕切壁、前壁の高さを両側壁＞仕切壁＞前壁の関係に設定したことを特徴とする冷蔵庫。
【請求項２】
冷凍ケースの仕切壁の前側上コーナ部を前方下部側ほど低くなる斜め形状としたことを特徴とする請求項１記載の冷蔵庫。
【請求項３】
冷凍室は冷凍ケースの下方に収納容器を有するとともに、前記冷凍ケースの前壁と冷凍室の扉との間に前記収納容器側への冷気通路を形成したことを特徴とする請求項１または２記載の冷蔵庫。
【請求項４】
冷凍ケースの前壁と冷凍室の扉との間に形成した冷気通路を流れる冷気量が貯氷ボックス部側と食品収納ボックス部側とで異なる配分となるようにしたことを特徴とする請求項３項記載の冷蔵庫。
【請求項５】
冷凍ケースは前壁の上端略中央部分を後ろ向きに凹状として手掛け部を形成したことを特徴とする請求項１〜４のいずれか１項記載の冷蔵庫。
【請求項６】
冷凍ケースは貯氷ボックス部と食品収納ボックス部との間の仕切壁の貯氷ボックス部側と食品収納ボックス部側との間の下部をリブで連結したことを特徴とする請求項１〜５のいずれか１項記載の冷蔵庫。
【請求項７】
冷凍ケースは貯氷ボックス部と食品収納ボックス部の前側下コーナ部に傾斜面部を設けたことを特徴とする請求項１〜６のいずれか１項記載の冷蔵庫。
【発明の詳細な説明】
【技術分野】
【０００１】
本発明は冷蔵庫に関し、特に冷凍室に設けた冷凍ケース構成に関するものである。
【背景技術】
【０００２】
一般に冷蔵庫は冷凍室が設けてあり、この冷凍室には製氷装置と冷凍ケースが設けてある（例えば、特許文献１参照）。
【０００３】
図８、図９は上記特許文献１に記載された冷蔵庫を示し、１００は冷蔵庫本体、１０１は冷蔵庫本体１００に設けた冷凍室、１０２は冷凍室１００の扉、１０３は冷凍室１０１の上部に設けた冷凍ケース、１０４は冷凍ケース１０３の下部に設けた収納容器で、前記冷凍ケース１０３とともに扉１０２の開閉によって引き出し自在となっている。
【０００４】
上記冷凍室１０１の冷凍ケース１０３及び収納容器１０４はその内部に冷凍室背面に設けた冷却器１０５から冷気が供給され、その冷気は冷凍ケース１０３及び収納容器１０４の前壁上端を乗り越えて下方へと流出し冷却器１０５へと還流するようになっている。
【０００５】
ここで、上記冷凍ケース１０３は図９に示すように、前記冷凍室１０１の天井一部に設けられている製氷装置（図示せず）と対向する貯氷ボックス部１０６とその横に仕切壁１０７を介して一体成形した収納ボックス部１０８とからなり、その貯氷ボックス部１０６及び収納ボックス部１０８の両側壁、仕切壁１０７、前壁の高さは同じ高さとしてあった。
【先行技術文献】
【特許文献】
【０００６】
【特許文献１】特開平４−３０２９７１号公報
【発明の概要】
【発明が解決しようとする課題】
【０００７】
しかしながら上記特許文献１の冷凍ケース１０３の構成では、冷却器１０５から供給された冷気が貯氷ボックス部１０６及び収納ボックス部１０８に入り込んだ後、両側壁、仕切壁１０７、前壁が同じ高さであるため、冷気の流出先が定まらず、収納ボックス部１０８に供給された冷気が貯氷ボックス部１０６に流れ込んで氷に臭いをつけてしまったり、冷却器１０５へとショートサーキットしてしまい冷却むらが生じる、という課題があった。そのため特許文献１にも記載のように例えば冷凍ケース１０３の収納ボックス部１０８に冷気流出口付の蓋１０９を設けて、冷気の流出先を特定させるとともに貯氷ボックス部１０６側に冷気が流れ込まないようにしてあり、部品増を伴いコスト高になる、という課題があった。
【０００８】
本発明はこのような点に鑑みてなしたもので、蓋等の部品増を伴うことなく冷気の流出先を特定させることによって冷却むらや臭い問題のない安価な冷蔵庫を提供することを目的としたものである。
【課題を解決するための手段】
【０００９】
本発明は上記目的を達成するため、断熱性の冷蔵庫本体と、前記冷蔵庫本体内に設けた冷凍室と、前記冷凍室の開口を覆う扉と、前記冷凍室に配置した上面開口略箱型形状の冷凍ケースと、前記冷凍ケースの一部の上方に配置した製氷装置とを備え、前記冷凍ケースは前記製氷装置の下方に位置する貯氷ボックス部と当該貯氷ボックス部に仕切壁を介して
一体形成した食品収納ボックス部とからなり、かつ、前記冷凍ケースはその両側壁、仕切壁、前壁の高さを両側壁＞仕切壁＞前壁の関係に設定したものである。
【００１０】
これにより、冷凍ケースの貯氷ボックス部及び食品収納ボックス部に供給された冷気は、貯氷ボックス部及び食品収納ボックス部に充満した後、その高さが最も低い前壁を乗り越えて流出するようになるとともに、前記各貯氷ボックス部及び食品収納ボックス部の両側壁を乗り越えてショートサーキット流出することもなく、前記各貯氷ボックス部及び食品収納ボックス部内の全域をほぼ均一に冷却することができる。しかも、食品収納ボックス部の冷気が前壁よりも高い仕切壁を乗り越えて貯氷ボックス部に流出することも防止できるから、貯氷ボックス部内の氷に臭いがつくこともなくなる。加えて、扉を開いて冷凍ケースを引き出したときに冷凍ケース内に比較的温度の高い外気が入り込んでも、この外気は前記と同様、前壁を乗り越えて冷却器へと流出していくと同時に食品収納ボックス部よりも早く充満する貯氷ボックス部内の冷気が仕切壁を乗り越えて食品収納ボックス部へと流れ込むようになり、冷却器から食品収納ボックス部に直接供給される冷気と合わさって食品収納ボックス部内の外気の追い出しと冷却を迅速に行えるようになり、効率の良い冷却が可能となる。
【発明の効果】
【００１１】
本発明は、蓋等を設けなくても冷却むらや臭い問題の発生を抑制することができ、安価で冷却性能の良い冷蔵庫を提供することができる。
【図面の簡単な説明】
【００１２】
【図１】本発明の実施の形態１における冷蔵庫の正面図
【図２】同冷蔵庫の冷蔵室扉を開けたときの正面図
【図３】同冷蔵庫の製氷装置部分での断面図
【図４】同冷蔵庫の製氷装置横の食品収納ボックス部での断面図
【図５】同冷蔵庫の冷凍室扉を引き出したときの冷凍室の平面図
【図６】同冷蔵庫の冷凍室に設けた冷凍ケースを斜め上方からみた斜視図
【図７】同冷蔵庫の冷凍室に設けた冷凍ケースを斜め下方からみた斜視図
【図８】従来の冷蔵庫における冷凍室の断面図
【図９】同従来の冷蔵庫の冷凍室に設けた冷凍ケースの斜視図
【発明を実施するための形態】
【００１３】
第１の発明は、断熱性の冷蔵庫本体と、前記冷蔵庫本体内に設けた冷凍室と、前記冷凍室の開口を覆う扉と、前記冷凍室に配置した上面開口略箱型形状の冷凍ケースと、前記冷凍ケースの一部の上方に配置した製氷装置とを備え、前記冷凍ケースは前記製氷装置の下方に位置する貯氷ボックス部と当該貯氷ボックス部に仕切壁を介して一体形成した食品収納ボックス部とからなり、かつ、前記冷凍ケースはその両側壁、仕切壁、前壁の高さを両側壁＞仕切壁＞前壁の関係に設定したものである。
【００１４】
これにより、冷凍ケースの貯氷ボックス部及び食品収納ボックス部に供給された冷気は、貯氷ボックス部及び食品収納ボックス部に充満した後、その高さが最も低い前壁を乗り越えて流出するようになるとともに、前記各貯氷ボックス部及び食品収納ボックス部の両側壁を乗り越えてショートサーキット流出することもなく、前記各貯氷ボックス部及び食品収納ボックス部内の全域をほぼ均一に冷却することができる。しかも、食品収納ボックス部の冷気が前壁よりも高い仕切壁を乗り越えて貯氷ボックス部に流出することも防止できるから、貯氷ボックス部内の氷に臭いがつくこともなくなる。加えて、扉を開いて冷凍ケースを引き出したときに冷凍ケース内に比較的温度の高い外気が入り込んでも、この外気は前記と同様、前壁を乗り越えて冷却器へと流出していくと同時に食品収納ボックス部よりも早く充満する貯氷ボックス部内の冷気が仕切壁を乗り越えて食品収納ボックス部へ
と流れ込むようになり、冷却器から食品収納ボックス部に直接供給される冷気と合わさって食品収納ボックス部内の外気の追い出しと冷却を迅速に行えるようになり、効率の良い冷却が可能となる。
【００１５】
第２の発明は、第１の発明において、冷凍ケースの仕切壁の前側上コーナ部を前方下部側ほど低くなる斜め形状としたものである。
【００１６】
これにより、仕切壁の前側上コーナ部が直角状のままの場合に比べ仕切壁前端部の強度が向上し、仕切壁の損傷等を防止することができる。
【００１７】
第３の発明は、第１または第２の発明において、冷凍室は冷凍ケースの下方に収納容器を有するとともに、前記冷凍ケースの前壁と冷凍室の扉との間に前記収納容器側への冷気通路を形成した構成としてある。
【００１８】
これにより、冷凍ケースの前壁を乗り越えた冷気はその下方の収納容器の前側部分から後方の冷気戻り口へとスムーズに流れるようになり、収納容器内の食品も効率よく冷却することができる。
【００１９】
第４の発明は第３の発明において、冷凍ケースの前壁と冷凍室の扉との間に形成した冷気通路を流れる冷気量が貯氷ボックス部側と食品収納ボックス部側とで異なる配分となる構成としてある。
【００２０】
これにより、貯氷ボックス部と食品収納ボックス部の容量に応じた冷気量が前壁を乗り越えて下方へと流れるようにすることができ、貯氷ボックス部及び食品収納ボックス部それぞれを適切な量の冷気で冷却することができるようになって、効率の良い冷却が可能となる。
【００２１】
第５の発明は、第１〜第４の発明において、冷凍ケースは前壁の上端略中央部分を後ろ向きに凹状として手掛け部を形成した構成としてある。
【００２２】
これにより、冷凍ケースと扉内面との間に手挿入レベルの隙間を確保することができ、冷凍ケースの手掛け部への手掛けが容易になって使い勝手が向上する。
【００２３】
第６の発明は、第１〜第５の発明において、冷凍ケースは貯氷ボックス部と食品収納ボックス部との間の仕切壁の貯氷ボックス部側と食品収納ボックス部側との間の下部をリブで連結した構成としてある。
【００２４】
これにより、冷凍ケースを樹脂成形によって形成していても仕切壁の下部がリブで連結されているので強度が向上するとともに、貯氷ボックス部側と食品収納ボックス部側との間の空隙部が断熱空間となって相互間の熱的影響を低減し、それぞれに適した最適な冷却が可能となる。
【００２５】
第７の発明は、第１〜第６の発明において、冷凍ケースは貯氷ボックス部と食品収納ボックス部の前側下コーナ部に傾斜面部を設けた構成としてある。
【００２６】
これにより、扉のレール等によって支持した冷凍ケースの着脱時に当該冷凍ケースの前側下コーナ部が扉内面等に引っかかるようなことが無くなり、その着脱を容易なものとすることができる。
【００２７】
以下、本発明の実施の形態について、図面を参照しながら説明する。なお、この実施の
形態によって本発明が限定されるものではない。
【００２８】
（実施の形態１）
図１は本発明の実施の形態１における冷蔵庫の正面図、図２は同冷蔵庫の冷蔵室扉を開けたときの正面図、図３は同冷蔵庫の製氷装置部分での断面図、図４は同冷蔵庫の製氷装置横の食品収納ボックス部での断面図、図５は同冷蔵庫の冷凍室扉を引き出したときの冷凍室の平面図、図６は同冷蔵庫の冷凍室に設けた冷凍ケースを斜め上方からみた斜視図、図７は同冷蔵庫の冷凍室に設けた冷凍ケースを斜め下方からみた斜視図である。
【００２９】
図１〜図４において、１は冷蔵庫本体で、上部から順に冷蔵室２、野菜室３、冷凍室４が設けてある。
【００３０】
上記冷蔵庫本体１は、従来と同様、前方に開口する金属製（例えば鉄板）の外箱１ａと、硬質樹脂製（例えばＡＢＳ製）の内箱１ｂと、これら外箱１ａと内箱１ｂとの間に発泡充填した硬質ウレタン等の断熱材１ｃとからなる。
【００３１】
また、冷蔵庫本体１の冷蔵室２、野菜室３、冷凍室４の前面は、冷蔵庫本体１と同様の構成によって断熱性を持たせた扉５、６、７によって開閉自在としてあり、そのうち、上記冷蔵室２の扉５はその一端部側を回動自在に支持し、野菜室３と冷凍室４の扉６、７は引き出し自在として、開閉可能としてある。
【００３２】
前記冷蔵庫本体１の冷凍室４の背面には冷却室８が形成してあり、冷気を生成する冷却器９と、冷気を冷蔵室２、野菜室３、冷凍室４に供給する送風ファン（図示せず）とが設けてある。上記冷蔵庫本体１の本体下面奥部には圧縮機（図示せず）が設けてあり、コンデンサ（図示せず）と、放熱パイプ（図示せず）と、キャピラリーチューブ（図示せず）と、前記した冷却器９とを順次環状に接続してなる冷凍サイクルに冷媒を封入し、冷却運転を行うように構成してある。また、前記冷却室８の背面部には凹所１０を形成し、この凹所１０に前記冷却運転を制御する制御基板１１が配置してある。
【００３３】
１２は前記冷凍室４の上部に組み込んだ製氷装置で、給水パイプ１３からの水を製氷皿１４に供給して氷にするとともに、前記製氷皿１４を前記制御基板１１からの信号によって適宜回転駆動して氷を下部の後述する貯氷ボックス部内に蓄積するようになっている。
【００３４】
１５は前記冷凍室４に配置した着脱自在な冷凍ケースで、図６に示すように前記した製氷装置１２の下方に位置する貯氷ボックス部１６と、当該貯氷ボックス部１６の横に位置して冷凍食品等を収納する食品収納ボックス部１７と、を有する。
【００３５】
上記冷凍ケース１５は前記貯氷ボックス部１６と食品収納ボックス部１７とを仕切壁１８を介して樹脂で一体形成してある。そしてこの冷凍ケース１５はその両側壁１９、仕切壁１８、前壁２０の高さを、両側壁１９＞仕切壁１８＞前壁２０の高さ関係に設定してある。また、上記冷凍ケース１５は仕切壁１８の前側上コーナ部を前方下部側ほど低くなる斜め形状２１としてあり、前壁２０の上端略中央部分を後ろ向きに凹状として手掛け部２２を形成してある。更に上記冷凍ケース１５は貯氷ボックス部１６と食品収納ボックス部１７との間の仕切壁１８の貯氷ボックス部１６側と食品収納ボックス部１７側との間の空隙部２３下部をリブ２４で連結し、かつ、前記貯氷ボックス部１６と食品収納ボックス部１７の前側下コーナ部に傾斜面部２５を形成してある。
【００３６】
また、前記冷凍室４は上記冷凍ケース１５の前壁２０と冷凍室４の扉７との間に図４に示すように前方下向きへ冷気が流れる冷気通路２６を形成してあり、その冷気通路２６は貯氷ボックス部１６側より食品収納ボックス部１７側の方が大きくなるように形成して、
冷凍ケース１５の前壁２０と冷凍室４の扉７との間に形成した冷気通路２６を流れる冷気量が貯氷ボックス部１６側と食品収納ボックス部１７側とで異なる配分となるようにしてある。
【００３７】
なお、本実施例では、手掛け部２２の位置を食品収納ボックス部１７側に寄せることで冷気通路の一部となる凹状形状の位置も食品収納ボックス部１７側になるため、上記冷気の配分比を食品収納ボックス部１７側に多くしている。
【００３８】
２７は前記冷凍ケース１５の下部に配置した収納容器で、前記冷凍ケース１５とともに扉７のレール（図示せず）に支持してあり、扉７の引き出しによって冷凍ケース１５とともに冷蔵庫本体１から引き出されるようになっている。
【００３９】
なお、前記冷凍室４の背面壁には、製氷装置１２及び貯氷ボックス部１６に冷気を供給する製氷用冷気吹出し口２８（図３参照）、食品収納ボックス部１７に冷気を供給する冷凍用冷気吹出し口２９（図４参照）、収納容器２７に冷気を供給する収納容器用冷気吹出し口（図示せず）が形成してあり、最下部には冷気戻り口３０（図３、図４参照）が形成してある。
【００４０】
上記構成において、次に動作について説明していく。
【００４１】
まず冷却室８で冷気が生成され、この冷気は冷蔵室２、野菜室３、冷凍室４に供給されて、これら各室を冷却する。
【００４２】
上記冷凍室４に供給される冷気は、製氷用冷気吹出し口２８、冷凍用冷気吹出し口２９、収納容器用冷気吹出し口（図示せず）から、製氷装置１２及び冷凍ケース１５の貯氷ボックス部１６、食品収納ボックス部１７、収納容器２７のそれぞれ供給され、冷気戻り口３０から冷却室８へと還流する。
【００４３】
ここで、上記冷凍ケース１５の貯氷ボックス部１６及び食品収納ボックス部１７に供給された冷気は、それぞれ貯氷ボックス部１６及び食品収納ボックス部１７に一杯まで充満してくると、それらの前壁２０が背丈が最も低いので、この前壁２０を乗り越えて当該前壁２０と冷凍室４の扉７との間の冷気通路２６を流下して収納容器２７へと流れ込み、その後冷気戻り口３０から冷却室８へと還流していくことになる。
【００４４】
したがって、冷気が前記冷凍ケース１５の両側壁１９を乗り越えて冷気戻り口３０へとショートサーキット流出することがなく、前記各貯氷ボックス部１６及び食品収納ボックス部１７内の全域をほぼ均一に冷却することができる。しかも、食品収納ボックス部１７の冷気が前壁２０よりも高い仕切壁１８を乗り越えて貯氷ボックス部１６側に流出することもなくなるから、貯氷ボックス部１６内の氷に臭いがつくこともなくなる。
【００４５】
また、冷凍ケース１５の前壁２０を乗り越えた冷気はその下方の収納容器２７の前側部分から後方の冷気戻り口３０へとスムーズに流れるようになり、収納容器２７内の食品も効率よく冷却することができる。更に、上記冷凍ケース１５の前壁２０と冷凍室４の扉７との間に形成した冷気通路２６および手掛け部２２の凹状による冷気通路は、貯氷ボックス部１６側より食品収納ボックス部１７側の方が大きくなるように形成してあるから、貯氷ボックス部１６及び食品収納ボックス部１７から前壁２０を乗り越えて冷気通路２６へと流出する冷気量はその容量に応じた量となって、効率の良い冷却が可能となる。
【００４６】
一方、前記冷凍室４内に食品を出し入れしたり、氷を取り出すときに、扉７を開いて冷凍ケース１５を引き出すと、この冷凍ケース１５内には比較的温度の高い外気が入り込み
、そのまま冷蔵庫本体１内に収納されてしまう。
【００４７】
このとき、この冷凍ケース１５では、前記冷凍ケース１５内に入り込んだ比較的温度の高い外気のうち、まず貯氷ボックス部１６内の外気はその容量が比較的小さいこともあって短時間で充満してくる冷気によって押し上げられ、前記同様、前壁２０を乗り越えて冷却室８へと流出していく。そして、上記貯氷ボックス部１６内の冷気は、容量が比較的大きく冷気の充満が遅い食品収納ボックス部１７内の上部に残っている外気を押しのけるような形で仕切壁１８を乗り越えて食品収納ボックス部１７内に入り込むようになる。これにより、食品収納ボックス部１７内は冷却室８から食品収納ボックス部１７に直接供給される冷気と合わさって冷気が短時間で充満するようになる。したがって、食品収納ボックス部１７内に収納した食品を迅速に冷却することができるようになる。特に上記食品収納ボックス部１７内に食品を収納したときには、この食品が購入店から持ち帰るまでの間に外気に触れていて融けかかっている場合もあることから、この迅速冷却は効果的である。
【００４８】
また、上記冷凍ケース１５はその仕切壁１８の前側上コーナ部を前方下部側ほど低くなる斜め形状２１としてあるから、前側上コーナ部を直角状のままとしている場合に比べ仕切壁前端部の強度が向上し、仕切壁１８の損傷等を防止することができる。しかも上記仕切壁１８の斜め形状２１は冷凍ケース１５の手掛け部２２の貯氷ボックス部１６寄り部分に連結しているので、冷凍ケース１５全体のひねり等に対する抗力を向上させることができ、冷凍ケース１５全体の強度を向上させることができる。
【００４９】
更に、上記冷凍ケース１５は前壁２０の上端略中央部分を後ろ向きに凹状として手掛け部２２が形成してあるから、冷凍ケース１５と扉内面との間に手挿入レベルの隙間を確保することができる。よって、冷凍ケース１５の手掛け部２２への手掛けが容易になり、使い勝手が向上する。
【００５０】
加えて、上記冷凍ケース１５は貯氷ボックス部１６と食品収納ボックス部１７との間の仕切壁１８の貯氷ボックス部１６側と食品収納ボックス部１７側との間の下部をリブ２４で連結した構成としてあるから、冷凍ケース１５を樹脂成形によって形成していても、仕切壁１８の下部がリブ２４で連結されているので強度が向上するとともに、貯氷ボックス部１６側と食品収納ボックス部１７側との間の空隙部２３が断熱空間となって相互間の熱的影響を低減し良好な冷却が可能となる。
【００５１】
更に、上記冷凍ケース１５は貯氷ボックス部１６と食品収納ボックス部１７の前側下コーナ部に傾斜面部２５が設けてあるから、冷凍ケース１５の着脱時に当該冷凍ケース１５の前側下コーナ部が扉内面等に引っかかるようなことが無くなり、その着脱を容易なものとすることができる。
【００５２】
以上説明してきたようにこの冷蔵庫は、蓋等の部品増を伴うことなく冷却むらや臭い問題のない安価で冷却性能の良い冷蔵庫を提供するものであるが、本発明の目的を達成する範囲で種々変更可能であることは言うまでもない。
【産業上の利用可能性】
【００５３】
以上のように本発明は、蓋等を設けなくても冷却むらや臭い問題の発生を抑制することができ、安価で冷却性能の良い冷蔵庫を提供することができ、一般用はもちろん業務用の冷蔵庫にも幅広く適用できる。
【符号の説明】
【００５４】
１  冷蔵庫本体
２  冷蔵室
３  野菜室
４  冷凍室
５、６、７  扉
８  冷却室
９  冷却器
１０  凹所
１１  制御基板
１２  製氷装置
１３  給水パイプ
１４  製氷皿
１５  冷凍ケース
１６  貯氷ボックス部
１７  食品収納ボックス部
１８  仕切壁
１９  両側壁
２０  前壁
２１  斜め形状
２２  手掛け部
２３  空隙部
２４  リブ
２５  傾斜面部
２６  冷気通路
２７  収納容器
２８  製氷用冷気吹出し口
２９  冷凍用冷気吹出し口
３０  冷気戻り口
【図１】
2014145550.tif 000003
【図２】
2014145550.tif 000004
【図３】
2014145550.tif 000005
【図４】
2014145550.tif 000006
【図５】
2014145550.tif 000007
【図６】
2014145550.tif 000008
【図７】
2014145550.tif 000009
【図８】
2014145550.tif 000010
【図９】
2014145550.tif 000011